(57)【要約】      （修正有）【課題】防水と保温機能を備えながら厚みを薄くできる球形鋼構造の装飾屋根を提供する。【解決手段】鋼製梁１を含み、鋼製梁の上には母屋３が取り付けられ、母屋には装飾板２が取り付けられ、鋼製梁の下縁の両側にはプロファイル鋼板５が固定され、プロファイル鋼板には蒸気防止層６、断熱層７、防水層８が順番に上向きに設けられ、蒸気防止層と断熱層は鋼製梁の両側に位置し、防水層は鋼製梁の上面を連続的に覆っており、母屋と鋼製梁の継ぎ目にある防水層には回避口が開設され、母屋は防水層の回避口に埋め込まれる。防水層及び断熱層を鋼製梁の両側に設け、装飾層を鋼製梁と防水層及び断熱層の上に設けることで、防水層及び断熱層と鋼製梁を同じ平面内に位置させ、全体的な厚さを減らし、また、防水層の連続性を確保し、防水層と母屋との干渉を避ける。【選択図】図３
0003234383.tif 000002
【実用新案登録請求の範囲】
【請求項１】
球形鋼構造の装飾屋根であって、鋼製梁（１）を含み、鋼製梁（１）の上には母屋（３）が取り付けられ、前記母屋（３）には装飾板（２）が取り付けられ、鋼製梁（１）の下縁の両側にはプロファイル鋼板（５）が固定され、前記プロファイル鋼板（５）には蒸気防止層（６）、断熱層（７）、防水層（８）が順番に上向きに設けられ、前記蒸気防止層（６）と断熱層（７）は鋼製梁（１）の両側に位置し、前記防水層（８）は鋼製梁（１）の上面を連続的に覆っており、母屋（３）と鋼製梁（１）の継ぎ目にある防水層（８）には回避口が開設され、前記母屋（３）は防水層（８）の回避口に埋め込まれる、
ことを特徴とする球形鋼構造の装飾屋根。
【請求項２】
前記母屋（３）はアウトリガー（４）を介して鋼製梁（１）に取り付けられ、前記アウトリガー（４）は防水層（８）の回避口に埋め込まれる、
ことを特徴とする請求項１に記載の球形鋼構造の装飾屋根。
【請求項３】
前記防水層（８）の回避口と前記アウトリガー（４）との継ぎ目に防水シールペースト（９）が設けられる、
ことを特徴とする請求項２に記載の球形鋼構造の装飾屋根。
【請求項４】
前記プロファイル鋼板（５）は山形鋼（１１）を介して鋼製梁（１）の側壁に接続され、前記プロファイル鋼板（５）は加工通過ボルトに取り外し可能に接続される、
ことを特徴とする請求項１に記載の球形鋼構造の装飾屋根。
【請求項５】
前記蒸気防止層（６）はＳＢＳ蒸気防止層（６）であり、前記蒸気防止層（６）の厚さは０．５ｍｍ〜１ｍｍであり、前記蒸気防止層（６）は断熱層（７）の下面に貼り付けられる、
ことを特徴とする請求項１に記載の球形鋼構造の装飾屋根。
【請求項６】
前記断熱層（７）はロックウール断熱層（７）であり、前記断熱層（７）の厚さは１００ｍｍ〜１５０ｍｍであり、断熱層（７）はロックウールネイル（１３）を介して蒸気防止層（６）を通過してプロファイル鋼板（５）に固定される、
ことを特徴とする請求項１に記載の球形鋼構造の装飾屋根。
【請求項７】
前記防水層（８）はＳＢＳ防水コイル材であり、ＳＢＳ防水コイル材の厚さは２ｍｍ〜５ｍｍであり、前記防水層（８）は防水ファスナー（１２）を介して断熱層（７）とプロファイル鋼板（５）に固定され、ＳＢＳ防水コイル材は２層構造で、内側のＳＢＳ防水コイル材は防水ファスナー（１２）を介して固定され、外側のＳＢＳ防水コイル材は内側のＳＢＳ防水コイル材に貼り付けられる、
ことを特徴とする請求項１に記載の球形鋼構造の装飾屋根。
【請求項８】
前記ＳＢＳ防水コイル材の間の継ぎ目が押し付けられ、ＳＢＳ防水コイル材は球形の屋根の上に下から上へ敷設され、上部ＳＢＳ防水コイル材の縁部が下部ＳＢＳ防水コイル材を押し付ける、
ことを特徴とする請求項７に記載の球形鋼構造の装飾屋根。
【請求項９】
前記プロファイル鋼板（５）は台形であり、プロファイル鋼板（５）の２つのウエストはそれぞれ両側の鋼製梁（１）に接続される、
ことを特徴とする請求項１に記載の球形鋼構造の装飾屋根。
【請求項１０】
前記装飾板（２）はＧＦＲＰプレハブ板であり、装飾板（２）はＧＦＲＰコネクタ（１０）を介して母屋（３）に取り付けられる、
ことを特徴とする請求項１に記載の球形鋼構造の装飾屋根。
【考案の詳細な説明】
【技術分野】
【０００１】
本考案は、ビル建設の技術分野に関し、特に球形鋼構造の装飾屋根に関する。
【背景技術】
【０００２】
一部の大スパンの公共ビルの屋根は、支柱の設置が難しく、当該屋根は一般的に耐力性がなく、形状がほとんど湾曲しているため、鋼構造を採用して建設することが多く、装飾のために装飾板を鋼構造の外側に設け、屋根はまた、通常使用する前に防水と保温が必要である。
【０００３】
同様の屋根構造が中国特許公開番号CN102518267Aの特許出願に提案されているが、当該技術案は垂直高さが高すぎ、屋根の厚さは比較的厚い。
【考案の概要】
【考案が解決しようとする課題】
【０００４】
本考案は、上記従来技術の問題に鑑みなされたもので、防水と保温機能を備えながら厚みを薄くできる球形鋼構造の装飾屋根を提供することを目的とする。
【課題を解決するための手段】
【０００５】
上記技術的問題を解決するために、本考案の球形鋼構造の装飾屋根は以下の技術案を採用する。
球形鋼構造の装飾屋根は、鋼製梁を含み、鋼製梁の上には鋼製梁に垂直な母屋が取り付けられ、前記母屋には装飾板が取り付けられ、鋼製梁の下縁の両側にはプロファイル鋼板が固定され、前記プロファイル鋼板には蒸気防止層、断熱層、防水層が順番に上向きに設けられ、前記蒸気防止層と断熱層は鋼製梁の両側に位置し、前記防水層は鋼製梁の上面を連続的に覆っており、母屋と鋼製梁の継ぎ目にある防水層には回避口が開設され、前記母屋は防水層の回避口に埋め込まれる。
【０００６】
さらに、前記母屋はアウトリガーを介して鋼製梁に取り付けられ、前記アウトリガーは防水層の回避口に埋め込まれる。
【０００７】
さらに、前記防水層の回避口と前記アウトリガーとの継ぎ目に防水シールペーストが設けられる。
【０００８】
さらに、前記鋼製梁は四角い鋼であり、前記プロファイル鋼板は山形鋼を介して鋼製梁の側壁に接続され、前記プロファイル鋼板は加工通過ボルトに取り外し可能に接続される。
【０００９】
さらに、前記蒸気防止層はＳＢＳ蒸気防止層であり、前記蒸気防止層の厚さは０．５ｍｍ〜１ｍｍであり、前記蒸気防止層は断熱層の下面に貼り付けられる。
【００１０】
さらに、断熱層はロックウール断熱層であり、前記断熱層の厚さは１００ｍｍ〜１５０ｍｍであり、断熱層はロックウールネイルを介して蒸気防止層を通過してプロファイル鋼板に固定される。
【００１１】
さらに、前記防水層はＳＢＳ防水コイル材であり、ＳＢＳ防水コイル材の厚さは２ｍｍ〜５ｍｍであり、前記防水層は防水ファスナーを介して断熱層とプロファイル鋼板に固定され、ＳＢＳ防水コイル材は２層構造で、内側のＳＢＳ防水コイル材は防水ファスナーを介して固定され、外側のＳＢＳ防水コイル材は内側のＳＢＳ防水コイル材に貼り付けられる。
【００１２】
さらに、前記ＳＢＳ防水コイル材の間の継ぎ目が押し付けられ、ＳＢＳ防水コイル材は球形の屋根の上に下から上へ敷設され、上部ＳＢＳ防水コイル材の縁部が下部ＳＢＳ防水コイル材を押し付ける。
【００１３】
さらに、前記プロファイル鋼板は台形であり、プロファイル鋼板の２つのウエストはそれぞれ両側の鋼製梁に接続される。
【００１４】
さらに、前記装飾板はＧＦＲＰプレハブ板であり、装飾板はＧＦＲＰコネクタを介して母屋に取り付けられる。
【考案の効果】
【００１５】
従来技術に比べ、本考案の球形鋼構造の装飾屋根は以下の有益な効果を備える。
球形鋼構造の支持屋根では、屋根のすべての重量が鋼製梁で支えられているため、屋根の他の補助構造物が最終的に鋼製梁に接続されることは避けられない。ただし、防水と断熱機能を備えた既存の装飾屋根は、パフペストリーのスタックのように、鋼製梁の上に防水層、断熱層、装飾層を層ごとに配置することであり、例えば、中国特許公開番号CN102518267Aの特許出願では、鋼製梁自体の高さを加えると、屋根全体の厚さが厚くなりすぎる。
そのため、本考案は、元の設置構造を変更し、防水層及び断熱層を鋼製梁の両側に設け、装飾層を鋼製梁と防水層及び断熱層の上に設けることで、防水層及び断熱層と鋼製梁を同じ平面内に位置させ、全体的な厚さを減らす。また、防水層の連続性を確保するために、防水層全体は断熱層と鋼製梁の上に連続的に覆われ、母屋との干渉を避けるために、母屋と鋼製梁の接合部にある断熱層には、母屋との干渉を避けるための回避口が開設される。
【図面の簡単な説明】
【００１６】
【図１】本考案の鋼構造の屋根全体の断面図である。
【図２】図１におけるＡの拡大図である。
【図３】図２におけるＡ−Ａの断面図であり、本考案の概略構造図でもある。
【考案を実施するための形態】
【００１７】
以下、添付の図面を参照して本考案の具体的な実施形態について詳細に説明する。ここで説明された具体的な実施形態は、本考案を説明及び解釈するためにのみ用いられ、本考案を限定するのではないことを理解されたい。
本考案では、反対の説明がない場合、「上、下、左、右」などの方位言葉は、通常、図１に示す上、下、左、右を指し、「内、外」とは、各部品自体の輪郭に対する内と外を指す。以下、図面を参照し、実施形態を合わせて本考案について詳細に説明する。
【００１８】
防水と保温機能を備えた鋼構造の支持装飾屋根の厚さが厚すぎるという技術的問題を解決するために、本考案は球形鋼構造の装飾屋根を提供し、図１から図３に示すように、鋼製梁１を含み、鋼製梁１の上には母屋３が取り付けられ、前記母屋３には装飾板２が取り付けられ、鋼製梁１の下縁の両側にはプロファイル鋼板５が固定され、前記プロファイル鋼板５には蒸気防止層６、断熱層７、防水層８が順番に上向きに設けられ、前記蒸気防止層６と断熱層７は鋼製梁１の両側に位置し、前記防水層８は鋼製梁１の上面を連続的に覆っており、母屋３と鋼製梁１の継ぎ目にある防水層８には回避口が開設され、前記母屋３は防水層８の回避口に埋め込まれる。
【００１９】
その中、鋼製梁１は、鋼構造の支持屋根にある本来の主な耐力構造である。本考案では、母屋３を鋼製梁１に配置して母屋３を介して装飾板２を取り付けるという部分は成熟した先行技術であるため、ここでは繰り返さない。鋼製梁１の下縁にプロファイル鋼板５が固定的に取り付けられ、また、プロファイル鋼板５上には蒸気防止層６、断熱層７、防水層８が敷設され、蒸気防止層６は主に、屋内の結露水による断熱構造への損傷を回避するために断熱層７を保護するために用いられる。断熱層７は部屋を断熱するために用いられ、防水層８は最も外側に設けられ、主要な防水構造である。外側装飾層の装飾板２は一定の防水性を有するが、装飾板２の間には大きな継ぎ目があるため、依然として装飾層内に防水層８を設ける必要がある。このように図３に示すように、プロファイル鋼板５上に設けられた蒸気防止層６、断熱層７は鋼製梁１によって鋼製梁１の左右両側に分割される。ただし、防水層８は可能な限り連続的且つ完全である必要があるため、防水層８全体は鋼製梁１及び鋼製梁１の両側にある断熱層７に連続的に敷設され、また、母屋３との干渉を避けるために、母屋３と鋼製梁１の継ぎ目にある防水層８には回避口が開設され、前記母屋３は防水層８の回避口に埋め込まれる。
【００２０】
回避口が大きくなりすぎて防水効果に影響を与えることを避けるために、好ましくは、母屋３はアウトリガー４を介して鋼製梁１に取り付けられ、母屋３は鋼製梁１に接触せずに鋼製梁１の上にあり、このように、回避口はアウトリガー４を回避するだけでよく、母屋３自体を回避する必要はない。アウトリガー４と鋼製梁１との接合部の面積は、母屋３と鋼製梁１との接合部の面積よりはるかに小さいため、回避口の大きさを大幅に小さくし、防水効果を向上させることができ、また、母屋３は鋼製梁１と接触していないため、一定の操作スペースを解放し、防水及び断熱層７の構築を容易にすることができる。好ましくは、前記アウトリガー４は四角い鋼管であり、溶接により一端は鋼製梁１に固定され、他端は母屋３に固定される。
【００２１】
防水効果をさらに向上させるために、前記防水層８の回避口と前記アウトリガー４との継ぎ目に防水シールペースト９が設けられる。
【００２２】
鋼製梁１は、屋根を支える鋼構造に一般的に使用されるＨ形鋼又は四角い鋼であり、鋼製梁１がＨ形鋼の場合、プロファイル鋼板５はＨ形鋼の下部フランジに直接取り付けられる。鋼製梁１が四角い鋼の場合、プロファイル鋼板５は角型鋼１１を介して四角い鋼の側壁の下端に取り付けられる。図３に示すように、角型鋼１１は四角い鋼の側壁に溶接され、角型鋼１１の片側は、四角い鋼の側壁から左右両側へ伸び、続いてプロファイル鋼板５はボルトを介して角型鋼１１に取り付けられる。
【００２３】
前記蒸気防止層６はＳＢＳ蒸気防止層６であり、前記蒸気防止層６の厚さは０．５ｍｍ〜１ｍｍであり、前記蒸気防止層６は断熱層７の下面に貼り付けられる。鋼製梁１に近い蒸気防止層６の一側が上向きに曲げ、断熱層７の側面及び鋼製梁１に貼り付け、鋼製梁１と断熱層７を分離する。
【００２４】
前記断熱層７はロックウール断熱層７であり、前記断熱層７の厚さは１００ｍｍ〜１５０ｍｍであり、断熱層７はロックウールネイル１３を介して蒸気防止層６を通過してプロファイル鋼板５に固定される。
【００２５】
前記防水層８はＳＢＳ防水コイル材であり、ＳＢＳ防水コイル材の厚さは２ｍｍ〜５ｍｍであり、前記防水層８は防水ファスナー１２を介して断熱層７とプロファイル鋼板５に固定される。図３に示すように、ＳＢＳ防水コイル材は２層構造である。内側のＳＢＳ防水コイル材は防水ファスナー１２を介して固定され、外側のＳＢＳ防水コイル材は内側のＳＢＳ防水コイル材に貼り付けられる。
【００２６】
防水層８に雨水が溜まらないようにし、雨水が防水層８の表面に沿って流れ落ちることを容易にするために、前記ＳＢＳ防水コイル材の間の継ぎ目が押し付けられ、具体的には、ＳＢＳ防水コイル材は球形の屋根の上に下から上へ敷設され、上部ＳＢＳ防水コイル材の縁部が下部ＳＢＳ防水コイル材を押し付ける。
【００２７】
屋根全体が複数の鋼製梁１で支えられ、鋼製梁１は屋根の中央で合流し、鋼製梁１と鋼製梁１の間にプロファイル鋼板５が設けられるため、下から上への鋼製梁１の間の徐々に狭くなる形状に適応するために、前記プロファイル鋼板５は台形であり、プロファイル鋼板５の２つのウエストはそれぞれ両側の鋼製梁１に接続される。
【００２８】
好ましくは、前記装飾板２はＧＦＲＰプレハブ板であり、装飾板２はＧＦＲＰコネクタ１０を介して母屋３に取り付けられる。
【００２９】
上記実施例は、本考案の好ましい実施形態に対する単なる説明であり、本考案の範囲を限定するものではなく、本考案の設計精神から逸脱することなく、当業者が本考案の技術案に対して行った様々な修正及び改善は、古い家の装飾における本考案の使用を含め、いずれも本考案の実用新案登録請求によって決定された範囲内に含まれるべきである。
【符号の説明】
【００３０】
１  鋼製梁
２  装飾板
３  母屋
４  アウトリガー
５  プロファイル鋼板
６  蒸気防止層
７  断熱層
８  防水層
９  防水シールペースト
１０  コネクタ
１  山形鋼
１２  防水ファスナー
１３  ロックウールネイル
【図１】
0003234383.tif 000003
【図２】
0003234383.tif 000004
【図３】
0003234383.tif 000005